(57)【要約】【課題】被検索端末装置の電力消費を低減させつつ、必要十分な測位精度の位置情報を提供することができる所在検索システム等を提供すること。【解決手段】被検索端末装置２０及び検索端末装置８０と通信可能な管理装置５０から、検索端末装置８０の位置を示す検索端末位置情報を含む所在情報要求を受信する所在情報要求受信手段と、電力消費量及び測位精度が異なる複数の送信用位置情報生成手段と、検索側位置情報に示される検索端末装置８０の位置と被検索側概略位置情報に示される被検索端末装置２０の位置との距離が、詳細位置必要範囲内か否かを判断する詳細位置必要範囲内外判断手段と、詳細位置必要範囲内外判断手段の判断結果に基づいて、複数の送信用位置情報生成手段から一つの送信用位置情報生成手段を選択する相対位置基準送信用位置情報生成手段等を有する。【選択図】図５
2006170656.tif 000002
【特許請求の範囲】
【請求項１】
所在検索の対象となる被検索端末装置と、
前記被検索端末装置の所在を検索する検索端末装置と、
前記被検索端末装置及び前記検索端末装置と通信可能であって、前記検索端末装置から前記被検索端末装置の所在の検索を要求する所在検索要求を受信し、前記被検索端末装置に対して、前記被検索端末装置の所在を示す情報を要求する所在情報要求を送信する管理装置と、
を有する所在検索システムであって、
前記検索端末装置は、
前記検索端末装置の位置を示す検索端末位置情報を生成する検索側位置情報生成手段と、
前記検索端末位置情報を含む前記所在検索要求を生成する所在検索要求生成手段と、
前記管理装置に対して前記所在検索要求を送信する所在検索要求送信手段と、
を有し、
前記管理装置は、前記検索端末位置情報を含む前記所在情報要求を生成する所在情報要求生成手段と、
前記被検索端末装置に対して前記所在情報要求を送信する所在情報要求送信手段と、
を有し、
前記被検索端末装置は、
前記被検索端末装置の概略位置を示す被検索側概略位置情報を継続的に生成する概略位置情報生成手段と、
前記管理装置から前記所在情報要求を受信する所在情報要求受信手段と、
電力消費量及び測位精度が異なる複数の送信用位置情報生成手段と、
前記検索端末位置情報に示される前記検索端末装置の位置と前記被検索側概略位置情報に示される前記被検索端末装置の位置との距離が、詳細位置必要範囲内か否かを判断する詳細位置必要範囲内外判断手段と、
前記詳細位置必要範囲内外判断手段の判断結果に基づいて、前記複数の送信用位置情報生成手段から一つの前記送信用位置情報生成手段を選択する相対位置基準送信用位置情報生成手段選択手段と、
前記相対位置基準送信用位置情報生成手段選択手段によって選択した前記送信用位置情報生成手段によって生成した送信用位置情報を前記管理装置に送信する被検索側位置情報送信手段と、
を有することを特徴とする所在検索システム。
【請求項２】
検索端末装置による所在検索の対象となる被検索端末装置であって、
前記被検索端末装置の概略位置を示す被検索側概略位置情報を継続的に生成する概略位置情報生成手段と、
前記被検索端末装置及び前記検索端末装置と通信可能な管理装置から、前記検索端末装置の位置を示す検索端末位置情報を含む所在情報要求を受信する所在情報要求受信手段と、
電力消費量及び測位精度が異なる複数の送信用位置情報生成手段と、
前記検索端末位置情報に示される前記検索端末装置の位置と前記被検索側概略位置情報に示される前記被検索端末装置の位置との距離が、詳細位置必要範囲内か否かを判断する詳細位置必要範囲内外判断手段と、
前記詳細位置必要範囲内外判断手段の判断結果に基づいて、前記複数の送信用位置情報生成手段から一つの前記送信用位置情報生成手段を選択する相対位置基準送信用位置情報生成手段選択手段と、
前記相対位置基準送信用位置情報生成手段選択手段によって選択した前記送信用位置情報生成手段によって生成した送信用位置情報を前記管理装置に送信する被検索側位置情報送信手段と、
を有することを特徴とする被検索端末装置。
【請求項３】
検索端末装置による所在検索の対象となる被検索端末装置であって、
前記被検索端末装置の概略位置を示す被検索側概略位置情報を継続的に生成する概略位置情報生成手段と、
前記被検索端末装置及び前記検索端末装置と通信可能な管理装置から、前記検索端末装置の位置を示す検索端末位置情報を含む所在情報要求を受信する所在情報要求受信手段と、
電力消費量及び測位精度が異なる複数の送信用位置情報生成手段と、
前記所在情報要求に示される前記検索端末装置の位置の測位精度に基づいて、複数の前記送信用位置情報生成手段から一つの前記送信用位置情報生成手段を選択する測位精度基準送信用位置情報生成手段選択手段と、
前記測位精度基準送信用位置情報生成手段選択手段によって選択した前記送信用位置情報生成手段によって生成した送信用位置情報を前記管理装置に送信する被検索側位置情報送信手段と、
を有することを特徴とする被検索端末装置。
【請求項４】
前記被検索側概略位置情報生成手段は、前記被検索端末装置と接続中の通信基地局の位置を示す情報を生成する構成となっていることを特徴とする請求項２又は請求項３のいずれかに記載の被検索端末装置。
【請求項５】
前記複数の送信用位置情報生成手段は、前記被検索端末装置と接続中の通信基地局の位置を示す情報を前記被検索端末装置の位置として生成する基地局位置取得手段と、測位衛星からの信号に基づいて前記被検索端末装置の位置を示す情報を生成する衛星測位手段と、を含むことを特徴とする請求項２乃至請求項４のいずれかに記載の被検索端末装置。
【請求項６】
検索端末装置による所在検索の対象となる被検索端末装置が、前記検索端末装置及び前記被検索端末装置と通信可能な管理装置から、前記検索端末装置の位置を示す検索端末位置情報を含む所在情報要求を受信する所在情報要求受信ステップと、
前記被検索端末装置が、前記所在情報要求に示される前記検索端末装置の位置と、前記被検索端末装置が継続的に生成した前記被検索端末装置の概略位置を示す被検索側概略位置情報に示される位置との距離が、詳細位置必要範囲内か否かを判断する詳細位置必要範囲内外判断ステップと、
前記被検索端末装置が、前記詳細位置必要範囲内外判断ステップにおける判断結果に基づいて、電力消費量及び測位精度が異なる複数の送信用位置情報生成手段から一つの前記送信用位置情報生成手段を選択する送信用位置情報生成手段選択ステップと、
前記被検索端末装置が、前記送信用位置情報生成手段選択ステップにおいて選択した前記送信用位置情報生成手段によって生成した前記被検索端末装置の位置情報を前記管理装置に送信する被検索側位置情報送信ステップと、
を有することを特徴とする被検索端末装置の制御方法。
【請求項７】
コンピュータに、
検索端末装置による所在検索の対象となる被検索端末装置が、前記検索端末装置及び前記被検索端末装置と通信可能な管理装置から、前記検索端末装置の位置を示す検索端末位置情報を含む所在情報要求を受信する所在情報要求受信ステップと、
前記被検索端末装置が、前記所在情報要求に示される前記検索端末装置の位置と、前記被検索端末装置が継続的に生成した前記被検索端末装置の概略位置を示す被検索側概略位置情報に示される位置との距離が、詳細位置必要範囲内か否かを判断する詳細位置必要範囲内外判断ステップと、
前記被検索端末装置が、前記詳細位置必要範囲内外判断ステップにおける判断結果に基づいて、電力消費量及び測位精度が異なる複数の送信用位置情報生成手段から一つの前記送信用位置情報生成手段を選択する送信用位置情報生成手段選択ステップと、
前記被検索端末装置が、前記送信用位置情報生成手段選択ステップにおいて選択した前記送信用位置情報生成手段によって生成した前記被検索端末装置の位置情報を前記管理装置に送信する被検索側位置情報送信ステップと、
を実行させることを特徴とする被検索端末装置の制御プログラム。
【請求項８】
コンピュータに、
検索端末装置による所在検索の対象となる被検索端末装置が、前記検索端末装置及び前記被検索端末装置と通信可能な管理装置から、前記検索端末装置の位置を示す検索端末位置情報を含む所在情報要求を受信する所在情報要求受信ステップと、
前記被検索端末装置が、前記所在情報要求に示される前記検索端末装置の位置と、前記被検索端末装置が継続的に生成した前記被検索端末装置の概略位置を示す被検索側概略位置情報に示される位置との距離が、詳細位置必要範囲内か否かを判断する詳細位置必要範囲内外判断ステップと、
前記被検索端末装置が、前記詳細位置必要範囲内外判断ステップにおける判断結果に基づいて、電力消費量及び測位精度が異なる複数の送信用位置情報生成手段から一つの前記送信用位置情報生成手段を選択する送信用位置情報生成手段選択ステップと、
前記被検索端末装置が、前記送信用位置情報生成手段選択ステップにおいて選択した前記送信用位置情報生成手段によって生成した前記被検索端末装置の位置情報を前記管理装置に送信する被検索側位置情報送信ステップと、
を実行させることを特徴とする被検索端末装置の制御プログラムを格納したコンピュータ読み取り可能な記録媒体。
【発明の詳細な説明】
【技術分野】
【０００１】
本発明は、通信ネットワークを利用した所在検索システム、被検索端末装置、被検索端末装置の制御方法、被検索端末装置の制御プログラム、被検索端末装置の制御プログラムを記録したコンピュータ読み取り可能な記録媒体に関するものである。
【背景技術】
【０００２】
従来、インターネットなどの通信ネットワークを利用して、他の端末装置（以後、被検索端末装置と呼ぶ）の位置情報を提供するシステムが提案されている。
このようなシステムにおいては、位置情報を取得する側のサーバが、取得したい位置情報の用途や緊急度などによって測位精度と測位に要する時間をはかりにかけ、なにを優先するかにより所定の品質（精度）を指定することによって、情報取得側の多用なニーズに答える技術が提案されている（例えば、特許文献１）。
【特許文献１】国際公開番号ＷO  ０１／７４１０２  Ａ１号公報（図２０Ａ等）
【発明の開示】
【発明が解決しようとする課題】
【０００３】
しかし、例えば、サーバが被検索端末装置の位置の測位精度を優先する場合には、被検索端末装置の電池残量に関わらず、測位精度が高い情報を要求する。そして、被検索端末装置がサーバの要求に従って、測位精度が高い位置情報を生成するために、被検索端末装置の電池が早期に枯渇してしまう場合があるという問題がある。
【０００４】
そこで、本発明は、被検索端末装置の電力消費を低減させつつ、必要十分な測位精度の位置情報を提供することができる所在検索システム、被検索端末装置、被検索端末装置の制御方法、被検索端末装置の制御プログラム、被検索端末装置の制御プログラムを記録したコンピュータ読み取り可能な記録媒体を提供することを目的とする。
【課題を解決するための手段】
【０００５】
前記目的は、第１の発明によれば、所在検索の対象となる被検索端末装置と、前記被検索端末装置の所在を検索する検索端末装置と、前記被検索端末装置及び前記検索端末装置と通信可能であって、前記検索端末装置から前記被検索端末装置の所在の検索を要求する所在検索要求を受信し、前記被検索端末装置に対して、前記被検索端末装置の所在を示す情報を要求する所在情報要求を送信する管理装置と、を有する所在検索システムであって、前記検索端末装置は、前記検索端末装置の位置を示す検索端末位置情報を生成する検索側位置情報生成手段と、前記検索端末位置情報を含む前記所在検索要求を生成する所在検索要求生成手段と、前記管理装置に対して前記所在検索要求を送信する所在検索要求送信手段と、を有し、前記管理装置は、前記検索端末位置情報を含む前記所在情報要求を生成する所在情報要求生成手段と、前記被検索端末装置に対して前記所在情報要求を送信する所在情報要求送信手段と、を有し、前記被検索端末装置は、前記被検索端末装置の概略位置を示す被検索側概略位置情報を継続的に生成する概略位置情報生成手段と、前記管理装置から前記所在情報要求を受信する所在情報要求受信手段と、電力消費量及び測位精度が異なる複数の送信用位置情報生成手段と、前記検索端末位置情報に示される前記検索端末装置の位置と前記被検索側概略位置情報に示される前記被検索端末装置の位置との距離が、詳細位置必要範囲内か否かを判断する詳細位置必要範囲内外判断手段と、前記詳細位置必要範囲内外判断手段の判断結果に基づいて、前記複数の送信用位置情報生成手段から一つの前記送信用位置情報生成手段を選択する相対位置基準送信用位置情報生成手段選択手段と、前記相対位置基準送信用位置情報生成手段選択手段によって選択した前記送信用位置情報生成手段によって生成した送信用位置情報を前記管理装置に送信する被検索側位置情報送信手段と、を有することを特徴とする所在検索システムにより達成される。
【０００６】
検索対象の被検索端末装置と、被検索端末装置を検索する検索端末装置との距離が遠く、例えば、１００キロメートル（ｋｍ）であるにもかかわらず、被検索端末装置が測位精度が高い、測位誤差が１０メートル（ｍ）の位置情報を生成して提供する場合がある。例えば、検索端末装置の使用者と被検索端末装置の使用者が待ち合わせる場合等には、被検索端末装置と検索端末装置との距離が遠い場合には、検索端末装置の使用者は被検索端末装置の概略の位置を取得できれば十分なはずである。このように、被検索端末装置と検索端末装置との距離が遠い場合には、測位精度も低くても十分である。
これに対して、検索端末装置と被検索端末装置との距離が近く、例えば、１００メートル（ｍ）である場合に、被検索端末装置が測位精度が低い、例えば、測位誤差が１００メートル（ｍ）の位置情報を生成して提供しても、有用ではない。すなわち、検索端末装置と被検索端末装置との距離が近い場合には、その距離が遠い場合に比べて、より高い測位精度が必要である。
上述のように、検索端末装置と被検索端末装置との距離によって、必要な測位精度が異なる。
ここで、一般に、測位精度が高い位置情報を生成するためには、測位精度が低い位置情報を生成する場合よりも電力消費量が多い。
したがって、被検索端末装置が、常に測位精度が高い位置情報を生成して提供することは、必要性とされない測位精度の位置情報を生成することによって電力を無駄に消費することになる。
【０００７】
この点、第１の発明の構成によれば、前記被検索端末装置は、前記詳細位置必要範囲内外判断手段によって、前記検索端末装置の位置と前記被検索端末装置の位置との距離が、詳細位置必要範囲内か否かを判断することができる。
そして、前記相対位置基準送信用位置情報生成手段選択手段によって、前記詳細位置必要範囲内外判断手段の判断結果に基づいて、前記送信用位置情報生成手段から一つの前記送信用位置情報生成手段を選択することができる。
このため、前記検索端末装置の位置と前記被検索端末装置の位置との距離が、詳細位置必要範囲内でない場合には、測位精度が低い前記送信用位置情報生成手段を選択し、詳細位置必要範囲内である場合にのみ、測位精度が高い前記送信用位置情報生成手段を選択することができる。
これにより、前記被検索端末装置は、前記被検索端末装置の電力消費を低減させつつ、必要十分な測位精度の位置情報を提供することができる。
【０００８】
前記目的は、第２の発明によれば、検索端末装置による所在検索の対象となる被検索端末装置であって、前記被検索端末装置の概略位置を示す被検索側概略位置情報を継続的に生成する概略位置情報生成手段と、前記被検索端末装置及び前記検索端末装置と通信可能な管理装置から、前記検索端末装置の位置を示す検索端末位置情報を含む所在情報要求を受信する所在情報要求受信手段と、電力消費量及び測位精度が異なる複数の送信用位置情報生成手段と、前記検索端末位置情報に示される前記検索端末装置の位置と前記被検索側概略位置情報に示される前記被検索端末装置の位置との距離が、詳細位置必要範囲内か否かを判断する詳細位置必要範囲内外判断手段と、前記詳細位置必要範囲内外判断手段の判断結果に基づいて、前記複数の送信用位置情報生成手段から一つの前記送信用位置情報生成手段を選択する相対位置基準送信用位置情報生成手段選択手段と、前記相対位置基準送信用位置情報生成手段選択手段によって選択した前記送信用位置情報生成手段によって生成した前送信用位置情報を前記管理装置に送信する被検索側位置情報送信手段と、を有することを特徴とする被検索端末装置によって達成される。
【０００９】
第２の発明の構成によれば、第１の発明の構成と同様に、前記被検索端末装置は、前記被検索端末装置の電力消費を低減させつつ、必要十分な測位精度の位置情報を提供することができる。
【００１０】
前記目的は、第３の発明によれば、検索端末装置による所在検索の対象となる被検索端末装置であって、前記被検索端末装置の概略位置を示す被検索側概略位置情報を継続的に生成する概略位置情報生成手段と、前記被検索端末装置及び前記検索端末装置と通信可能な管理装置から、前記検索端末装置の位置を示す検索端末位置情報を含む所在情報要求を受信する所在情報要求受信手段と、電力消費量及び測位精度が異なる複数の送信用位置情報生成手段と、前記所在情報要求に示される前記検索端末装置の位置の測位精度に基づいて、複数の前記送信用位置情報生成手段から一つの前記送信用位置情報生成手段を選択する測位精度基準送信用位置情報生成手段選択手段と、前記測位精度基準送信用位置情報生成手段選択手段によって選択した前記送信用位置情報生成手段によって生成した送信用位置情報を前記管理装置に送信する被検索側位置情報送信手段と、を有することを特徴とする被検索端末装置によって達成される。
【００１１】
検索端末装置の使用者が、例えば、待ち合わせのために検索端末装置の位置を被検索端末装置に送信する場合に、検索端末装置の測位誤差が例えば、１００メートル（ｍ）の位置情報を送信するということは、被検索端末装置から同程度の測位精度の位置情報を取得すれば十分であるという意思であると考えられる。
これに対して、検索端末装置の使用者が、例えば、検索端末装置の測位誤差が例えば、１０メートル（ｍ）の位置情報を送信するということは、被検索端末装置から同程度の測位精度の位置情報を取得して、待ち合わせに活用したい意思であると考えられる。
上述のように、検索端末装置からの位置情報の測位精度によって、被検索端末装置が提供する必要がある位置情報の測位精度が異なる。
一般に、測位精度が高い位置情報を生成するためには、測位精度が低い位置情報を生成する場合よりも電力消費量が多い。
したがって、被検索端末装置が、常に測位精度が高い位置情報を生成して提供することは、必要とされない測位精度の位置情報を生成することによって、電力を無駄に消費することになる場合がある。
【００１２】
この点、第３の発明の構成によれば、前記被検索端末装置は、前記測位精度基準送信用位置情報生成手段選択手段によって、前記所在情報要求に示される前記検索端末装置の位置の測位精度に基づいて、複数の前記送信用位置情報生成手段から一つの前記送信用位置情報生成手段を選択することができる。
これにより、前記被検索端末装置は、前記被検索端末装置の電力消費を低減させつつ、必要十分な測位精度の位置情報を提供することができる。
【００１３】
第４の発明は、第２の発明又は第３の発明のいずれかの構成において、前記被検索側概略位置情報生成手段は、前記被検索端末装置と接続中の通信基地局の位置を示す情報を生成する構成となっていることを特徴とする被検索端末装置である。
【００１４】
前記被検索端末装置は、前記通信基地局と接続中である限り、単に前記通信基地局からの電波を受信することによって、その電波に乗せられている前記通信基地局の位置を示す情報を取得することができる。  
この点、第４の発明の構成によれば、前記被検索側概略位置情報生成手段は、前記被検索端末装置と接続中の通信基地局の位置を示す情報を生成する構成となっている。このため、前記被検索端末装置は、前記通信基地局からの電波を受信して解析するだけで、継続的に前記被検索側概略位置情報を生成することができる。
【００１５】
第５の発明は、第２の発明乃至第４の発明のいずれかの構成において、前記複数の送信用位置情報生成手段は、前記被検索端末装置と接続中の通信基地局の位置を示す情報を前記被検索端末装置の位置として生成する基地局位置取得手段と、測位衛星からの信号に基づいて前記被検索端末装置の位置を示す情報を生成する衛星測位手段と、を含むことを特徴とする被検索端末装置である。
【００１６】
第５の発明の構成によれば、前記複数の測位手段は、前記基地局位置取得手段を含む。前記基地局位置取得手段は、前記被検索端末装置と接続中の通信基地局の位置を前記被検索端末装置の位置とするから、前記衛星測位手段に比べて電力消費量が少ない。
このため、前記被検索端末装置は、常に前記衛星測位手段を使用する場合にくらべて電力消費量が少なく、前記被検索端末装置の電池が早期に枯渇することを防止することができる。
【００１７】
前記目的は、第６の発明によれば、検索端末装置による所在検索の対象となる被検索端末装置が、前記検索端末装置及び前記被検索端末装置と通信可能な管理装置から、前記検索端末装置の位置を示す検索端末位置情報を含む所在情報要求を受信する所在情報要求受信ステップと、前記被検索端末装置が、前記所在情報要求に示される前記検索端末装置の位置と、前記被検索端末装置が継続的に生成した前記被検索端末装置の概略位置を示す被検索側概略位置情報に示される位置との距離が、詳細位置必要範囲内か否かを判断する詳細位置必要範囲内外判断ステップと、前記被検索端末装置が、前記詳細位置必要範囲内外判断ステップにおける判断結果に基づいて、電力消費量及び測位精度が異なる複数の送信用位置情報生成手段から一つの前記送信用位置情報生成手段を選択する送信用位置情報生成手段選択ステップと、前記被検索端末装置が、前記送信用位置情報生成手段選択ステップにおいて選択した前記送信用位置情報生成手段によって生成した前記被検索端末装置の位置情報を前記管理装置に送信する被検索側位置情報送信ステップと、を有することを特徴とする被検索端末装置の制御方法によって達成される。
【００１８】
第６の発明の構成によれば、第２の発明の構成と同様に、前記被検索端末装置は、前記被検索端末装置の電力消費を低減させつつ、必要十分な測位精度の位置情報を提供することができる。
【００１９】
前記目的は、第７の発明によれば、コンピュータに、検索端末装置による所在検索の対象となる被検索端末装置が、前記検索端末装置及び前記被検索端末装置と通信可能な管理装置から、前記検索端末装置の位置を示す検索端末位置情報を含む所在情報要求を受信する所在情報要求受信ステップと、前記被検索端末装置が、前記所在情報要求に示される前記検索端末装置の位置と、前記被検索端末装置が継続的に生成した前記被検索端末装置の概略位置を示す被検索側概略位置情報に示される位置との距離が、詳細位置必要範囲内か否かを判断する詳細位置必要範囲内外判断ステップと、前記被検索端末装置が、前記詳細位置必要範囲内外判断ステップにおける判断結果に基づいて、電力消費量及び測位精度が異なる複数の送信用位置情報生成手段から一つの前記送信用位置情報生成手段を選択する送信用位置情報生成手段選択ステップと、前記被検索端末装置が、前記送信用位置情報生成手段選択ステップにおいて選択した前記送信用位置情報生成手段によって生成した前記被検索端末装置の位置情報を前記管理装置に送信する被検索側位置情報送信ステップと、を実行させることを特徴とする被検索端末装置の制御プログラムによって達成される。
【００２０】
前記目的は、第８の発明によれば、コンピュータに、検索端末装置による所在検索の対象となる被検索端末装置が、前記検索端末装置及び前記被検索端末装置と通信可能な管理装置から、前記検索端末装置の位置を示す検索端末位置情報を含む所在情報要求を受信する所在情報要求受信ステップと、前記被検索端末装置が、前記所在情報要求に示される前記検索端末装置の位置と、前記被検索端末装置が継続的に生成した前記被検索端末装置の概略位置を示す被検索側概略位置情報に示される位置との距離が、詳細位置必要範囲内か否かを判断する詳細位置必要範囲内外判断ステップと、前記被検索端末装置が、前記詳細位置必要範囲内外判断ステップにおける判断結果に基づいて、電力消費量及び測位精度が異なる複数の送信用位置情報生成手段から一つの前記送信用位置情報生成手段を選択する送信用位置情報生成手段選択ステップと、前記被検索端末装置が、前記送信用位置情報生成手段選択ステップにおいて選択した前記送信用位置情報生成手段によって生成した前記被検索端末装置の位置情報を前記管理装置に送信する被検索側位置情報送信ステップと、を実行させることを特徴とする被検索端末装置の制御プログラムを格納したコンピュータ読み取り可能な記録媒体によって達成される。
【発明を実施するための最良の形態】
【００２１】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。  
【００２２】
（第１の実施の形態）
図１は、本発明の第１の実施の形態に係る所在検索システム１０等を示す概略図である。
図１に示すように、所在検索システム１０は、端末２０、サーバ５０、検索端末８０等を有する。端末２０は、検索端末８０による所在検索の対象である。すなわち、端末２０は、被検索端末装置の一例である。そして、検索端末８０は、端末２０の所在を検索する検索端末装置の一例である。
端末２０は、測位衛星である例えば、ＧＰＳ（Ｇｌｏｂａｌ  Ｐｏｓｉｔｉｏｎｉｎｇ  Ｓｙｓｔｅｍ）衛星１２ａ，１２ｂ，１２ｃ，１２ｄから信号である例えば、信号Ｓ１，Ｓ２，Ｓ３及びＳ４を受信するための端末ＧＰＳ装置３４を有する。
【００２３】
端末２０は、また、端末通信装置３２によって、通信基地局である基地局４０、及び、通信網であるインターネット網４５を介してサーバ５０と通信可能になっている。
【００２４】
検索端末８０は、検索端末ＧＰＳ装置９４を有し、ＧＰＳ衛星１２ａ等から信号Ｓ１等を受信することができるようになっている。また、検索端末８０は、検索端末通信装置９２によって、基地局７０及びインターネット網４５を介してサーバ５０と通信可能な構成になっている。
【００２５】
すなわち、サーバ５０は、端末２０及び検索端末８０と基地局４０等及びインターネット網４５を介して通信可能になっている。そして、サーバ５０は、検索端末８０から端末２０の所在の検索を要求する後述の検索要求情報３５２（図７参照）を受信し、端末２０に対して端末２０の所在を示す情報を要求する後述の所在要求情報２５６（図６参照）を送信することができるように構成されている。検索要求情報３５２は所在検索要求の一例であり、所在要求情報２５６は所在情報要求の一例である。
【００２６】
端末２０及び検索端末８０は例えば、携帯電話機、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ）等であるが、これらに限らない。
なお、本実施の形態とは異なり、ＧＰＳ衛星１２ａ等は、３個以下でもよいし、５個以上でもよい。
【００２７】
（端末２０の主なハードウエア構成について）
図２は、端末２０の主なハードウエア構成を示す概略図である。
図２に示すように、端末２０は、コンピュータを有しており、コンピュータは、バス２２を有する。
このバス２２には、ＣＰＵ（Ｃｅｎｔｒａｌ  Ｐｒｏｃｅｓｓｉｎｇ  Ｕｎｉｔ）２４、記憶装置２６等が接続されている。記憶装置２６は例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等である。
また、このバスには、各種情報や命令を入力する入力装置２８、電池３０、端末通信装置３２、端末ＧＰＳ装置３４、及び、各種情報等を表示するための表示装置３６が接続されている。
【００２８】
（サーバ５０の主なハードウエア構成について）
図３は、サーバ５０の主なハードウエア構成を示す概略図である。
図３に示すように、サーバ５０は、コンピュータを有しており、コンピュータは、バス５２を有する。
このバス５２には、ＣＰＵ５４、記憶装置５６、外部記憶装置５８等が接続されている。外部記憶装置５８は例えば、ＨＤ（Ｈａｒｄ  Ｄｉｓｋ）である。
また、このバス５２には、各種情報や命令等を入力するための入力装置６０、電源６２、端末２０及び検索端末８０等と通信するためのサーバ通信装置６４、及び、表示装置６６が接続されている。
【００２９】
（検索端末８０の主なハードウエア構成について）
図４は、検索端末８０の主なハードウエア構成を示す概略図である。
図４に示すように、検索端末８０の主なハードウエア構成は、上述の端末２０（図２参照）と同様である。
【００３０】
（端末２０の主なソフトウエア構成について）
図５は、端末２０の主なソフトウエア構成を示す概略図である。
図５に示すように端末２０は、各部を制御する端末制御部１００、図２の端末通信装置３２に対応する端末通信部１０２、図２の端末ＧＰＳ装置３４に対応する端末ＧＰＳ部１０４等を有する。
端末２０は、また、各種プログラムを格納する端末第１記憶部１１０、各種情報を格納する端末第２記憶部１５０を有する。
【００３１】
図５に示すように、端末２０は、端末第１記憶部１１０に、基地局位置情報生成プログラム１１２を格納している。基地局位置情報生成プログラム１１２は、端末制御部１００が、端末２０が接続中の通信基地局である例えば、基地局４０（図１参照）の位置を示す基地局位置情報１５２を継続的に例えば、１０分ごとに生成するための情報（プログラム）である。
端末２０が基地局４０と接続中であるということは、端末２０が基地局４０の通信圏内に位置することを意味する。すなわち、基地局４０の位置は、端末２０の概略位置である。この基地局４０の位置は、概略位置の一例であり、基地局位置情報１５２は、被検索側概略位置情報の一例である。
そして、基地局位置情報生成プログラム１１２と端末制御部１００は、概略位置情報生成手段の一例である。
端末制御部１００は、生成した基地局位置情報１５２を端末第２記憶部１５０に格納する。
端末２０が、基地局４０と接続中であれば、単に基地局４０からの電波を端末通信部１０２によって受信することによって、基地局４０の位置を示す情報を取得することができる。したがって、基地局位置情報１５２を生成するために必要な電力消費量は小さく、例えば、０．５ミリワット時（ｍＷｈ）である。
しかし、端末２０の位置の測位精度は低く、例えば、測位誤差が５キロメートル（ｋｍ）である。
【００３２】
端末２０は、端末通信部１０２によって、サーバ５０から所在要求情報２５６（図６参照）を受信する。すなわち、端末通信部１０２は、所在情報要求受信手段の一例である。
端末制御部１００は、端末通信部１０２によって受信した所在要求情報２５６を、端末側所在要求情報１５４として端末第２記憶部１５０に格納する。
図５に示すように、端末側所在要求情報１５４は、検索端末８０の現在位置を示す検索端末現在位置情報１５４ａを含む。
また、端末側所在要求情報１５４は、検索端末現在位置情報１５４ａの測位精度を示す測位精度情報１５４ｂを含む。
【００３３】
図５に示すように、端末２０は、端末第１記憶部１１０に、基地局位置情報取得プログラム１１４を格納している。基地局位置情報取得プログラム１１４は、端末制御部１００が、後述の条件の下、継続的に生成している基地局位置情報１５２の複製を生成し、サーバ５０に送信するための通知用基地局位置情報１５８ａとするための情報である。すなわち、基地局位置情報取得プログラム１１４と端末制御部１００は、基地局位置取得手段の一例であり、送信用位置情報生成手段の一例でもある。
以後、基地局位置情報取得プログラム１１４と端末制御部１００を、基地局位置取得手段とも呼ぶ。
この基地局位置取得手段は、端末第２記憶部１５０内に記憶されている基地局位置情報１５２の複製を生成して、同じ端末第２記憶部１５０の別な記憶領域に記憶させる処理をすればよいから、通知用基地局位置情報１５８ａを生成するために必要な電力消費量は、上述の基地局位置情報１５２を生成するために必要な電力消費量よりも小さい。
【００３４】
図５に示すように、端末２０は、端末第１記憶部１１０に、ＧＰＳ測位位置情報生成プログラム１１６を格納している。ＧＰＳ測位位置情報生成プログラム１１６は、端末制御部１００が、ＧＰＳ衛星１２ａ等からの信号Ｓ１等に基づいて端末２０の位置を測位してサーバ５０に送信するためのＧＰＳ測位位置情報１５６ｂを生成するための情報である。すなわち、ＧＰＳ測位位置情報生成プログラム１１６と端末制御部１００は、衛星測位手段の一例であり、送信用位置情報生成手段の一例でもある。
以後、ＧＰＳ測位位置情報生成プログラム１１６と端末制御部１００を、ＧＰＳ測位手段とも呼ぶ。
ＧＰＳ衛星１２ａ等からの信号Ｓ１等に基づいて端末２０の位置を測位するためには、端末ＧＰＳ部１０４によってＧＰＳ衛星１２ａ等から信号Ｓ１等を受信し、その信号Ｓ１等に基づく測位演算を実施する必要がある。そのため、電力消費量が多く、ＧＰＳ測位位置情報１５８ｂを生成するためには例えば、５ミリワット時（ｍＷｈ）必要である。ＧＰＳ測位位置情報１５８ｂの位置の測位精度は高く、例えば、測位誤差が１０メートル（ｍ）である。
【００３５】
上述のように、端末２０は、電力消費量及び測位精度が異なる複数の送信用位置情報生成手段である例えば、基地局位置取得手段とＧＰＳ測位手段を有する。
【００３６】
図５に示すように、端末２０は、端末第１記憶部１１０に、相対位置判断プログラム１１８を格納している。相対位置判断プログラム１１８は、端末制御部１００が、端末側所在要求情報１５４に含まれる検索端末現在位置情報１５４ａに示される検索端末８０の位置と、基地局位置情報１５２に示される端末２０の位置との距離が、距離閾値情報１５６に示される距離閾値より短いか否かを判断するための情報である。距離閾値は、端末２０がＧＰＳ測位位置情報１５６ｂを生成して提供する必要がある距離として規定されており、例えば、５キロメートル（ｋｍ）である。距離閾値よりも短い距離においては、端末２０は、詳細な位置を示す位置情報を生成して、サーバ５０を介して検索端末８０に提供する必要がある。
距離閾値よりも短い距離は、詳細位置必要範囲内の距離の一例である。そして、相対位置判断プログラム１１８と端末制御部１００は、詳細位置必要範囲内外判断手段の一例である。
【００３７】
図５に示すように、端末２０は、端末第１記憶部１１０に、通知用位置情報生成手段選択プログラム１２０を格納している。通知用位置情報生成手段選択プログラム１２０は、端末制御部１００が、相対位置判断プログラム１１８による判断結果に基づいて、基地局位置取得手段及びＧＰＳ測位手段からいずれか一つを選択するための情報である。すなわち、通知用位置情報生成手段選択プログラム１２０と端末制御部１００は、相対位置基準送信用位置情報生成手段選択手段の一例である。
端末制御部１００は通知用位置情報生成手段選択プログラム１２０に基づいて、相対位置判断プログラム１１８による判断結果が検索端末８０の位置と端末２０の位置との距離が、距離閾値以上である場合には、基地局位置情報取得プログラム１１４によって基地局位置情報１５２を複製し、通知用基地局位置情報１５８ａを生成する。
これに対して、端末制御部１００は通知用位置情報生成手段選択プログラム１２０に基づいて、相対位置判断プログラム１１８による判断結果が検索端末８０の位置と端末２０の位置との距離が、距離閾値よりも短い場合には、ＧＰＳ測位位置情報生成プログラム１１６によってＧＰＳ測位位置情報１５８ｂを生成する。
このように、端末制御部１００は、通知用基地局位置情報１５８ａとＧＰＳ測位位置情報１５６ｂのいずれかを生成し、通知用位置情報１５８の記憶領域に記憶する。
【００３８】
図５に示すように、端末２０は、端末第１記憶部１１０に、通知用位置情報送信プログラム１２２を格納している。通知用位置情報送信プログラム１２２は、端末制御部１００が、通知用位置情報生成手段選択プログラム１２０によって選択した手段によって生成した、通知用基地局位置情報１５８ａ又はＧＰＳ測位位置情報１５８ｂをサーバ５０に送信するための情報である。すなわち、通知用位置情報送信プログラム１２２と端末制御部１００は、被検索側位置情報送信手段の一例である。
【００３９】
（サーバ５０の主なソフトウエア構成について）
図６は、サーバ５０の主なソフトウエア構成を示す概略図である。
図６に示すようにサーバ５０は、各部を制御するサーバ制御部２００、図３のサーバ通信装置６４に対応するサーバ通信部２０２等を有する。
サーバ５０は、また、各種プログラムを格納するサーバ第１記憶部２１０、各種情報を格納するサーバ第２記憶部２５０を有する。
【００４０】
図６に示すように、サーバ５０は、サーバ第２記憶部２５０に、検索サービス対象端末情報２５２を格納している。検索サービス対象端末情報２５２は、サーバ５０が、所在検索サービスを提供する対象となる例えば、端末２０及び検索端末８０の識別番号である。この識別番号は、例えば、端末２０等の電話番号である。
サーバ５０は、検索サービス対象端末情報２５２に示される端末装置からの要求に基づいて、検索サービス対象端末情報２５２に示される他の端末装置の位置の検索を行う。
サーバ５０は、サーバ通信部２０２によって、検索端末８０から、端末２０の所在検索を要求する検索要求情報３５２（図７参照）を受信し、サーバ側検索要求情報２５４としてサーバ第２記憶部２５０に格納する。  
【００４１】
図６に示すように、サーバ５０は、サーバ第１記憶部２１０に、所在要求情報生成プログラム２１２を格納している。所在要求情報生成プログラム２１２は、サーバ制御部２００が、サーバ側検索要求情報２５４に含まれるサーバ側検索端末位置情報２５４ａを含む所在要求情報２５６を生成するための情報である。すなわち、所在要求情報生成プログラム２１２とサーバ制御部２００は、所在情報要求生成手段の一例である。
所在要求情報２５６は、端末２０の位置を示す情報を要求するための情報であり、検索端末８０の位置を示すサーバ側検索端末位置情報２５６ａを含む。
所在要求情報２５６はまた、サーバ側検索端末位置情報２５６ａの測位精度を示すサーバ側測位精度情報２５６ｂを含む。
【００４２】
図６に示すように、サーバ５０は、サーバ第１記憶部２１０に、所在要求情報送信プログラム２１４を格納している。所在要求情報送信プログラム２１４は、サーバ制御部２００が、端末２０に対して、所在要求情報２５６を送信するための情報である。すなわち、所在要求情報送信プログラム２１４とサーバ制御部２００は、所在情報要求送信手段の一例である。
【００４３】
サーバ５０は、サーバ通信部２０２によって、端末２０から通知用基地局位置情報１５８ａ（図５参照）又はＧＰＳ測位位置情報１５８ｂ（図５参照）を受信すると、サーバ側検索対象端末位置情報２５８としてサーバ第２記憶部２５０に格納する。
【００４４】
（検索端末８０の主なソフトウエア構成について）
図７は、検索端末８０の主なソフトウエア構成を示す概略図である。
図７に示すように検索端末８０は、各部を制御する検索端末制御部３００、図４の検索端末通信装置９２に対応する検索端末通信部３０２、図４の検索端末ＧＰＳ装置９４に対応する検索端末ＧＰＳ部３０４等を有する。
検索端末８０は、また、各種プログラムを格納する検索端末第１記憶部３１０、各種情報を格納する検索端末第２記憶部３５０を有する。
【００４５】
図７に示すように、検索端末８０は、検索端末第１記憶部３１０に、検索要求情報生成プログラム３１２を格納している。検索要求情報生成プログラム３１２は、検索端末制御部３００が、検索端末現在位置情報３５２ｂを含む検索要求情報３５２を生成するための情報である。すなわち、検索要求情報生成プログラム３１２と検索端末制御部３００は、所在検索要求生成手段の一例である。
【００４６】
図７に示すように、検索要求情報生成プログラム３１２は、検索側現在位置情報生成プログラム３１２ａを含む。検索側現在位置情報生成プログラム３１２ａは、検索端末制御部３００が、検索端末８０の位置を示す検索端末現在位置情報３５２ｂを生成するための情報である。検索端末現在位置情報３５２ｂは、検索端末位置情報の一例である。そして、検索側現在位置情報生成プログラム３１２ａと検索端末制御部３００は、検索側位置情報生成手段の一例である。
検索端末制御部３００は検索側現在位置情報生成プログラム３１２ａに基づいて、検索端末８０が接続中の通信基地局である例えば、基地局７０（図１参照）の位置を示す検索端末現在位置情報３５２ｂを生成するか、検索端末ＧＰＳ部３０４によってＧＰＳ衛星１２ａ等からの信号Ｓ１等に基づいて測位した測位結果を検索端末８０の位置として検索端末現在位置情報３５２ｂを生成する。基地局７０（図１参照）の位置を検索端末８０の位置とする場合には、測位誤差は例えば、５キロメートル（ｋｍ）と比較的大きいが、電力消費量が例えば、０．５ミリワット時（ｍＷｈ）と小さい。これに対して、ＧＰＳ衛星１２ａ等からの信号Ｓ１等に基づいて測位した測位結果を検索端末８０の位置とする場合には、測位誤差は例えば、１０メートル（ｍ）と比較的小さいが、電力消費量が例えば、５ミリワット時（ｍＷｈ）と大きい。
検索端末８０が、基地局７０（図１参照）の位置を示す検索端末現在位置情報３５２ｂを生成するか、ＧＰＳ衛星１２ａ等からの信号Ｓ１等に基づいて測位した測位結果を検索端末８０の位置として検索端末現在位置情報３５２ｂを生成するかは、検索端末８０の使用者によって入力装置８８（図４参照）によって入力される情報に基づいて決定する。
【００４７】
図７に示すように、検索要求情報３５２は、検索端末現在位置情報３５２ｂ及び測位精度情報３５２ｃを含む。また、検索要求情報３５２は、検索対象端末ＩＤ３５２ａを含む。検索対象端末ＩＤ３５２ａは、例えば、端末２０の電話番号であり、検索端末８０の使用者（図示せず）によって入力装置８８（図４参照）を介して入力される。
【００４８】
図７に示すように、検索端末８０は、検索端末第１記憶部３１０に、検索要求情報送信プログラム３１４を格納している。検索要求情報送信プログラム３１４は、検索端末制御部３００が、サーバ５０に対して、検索要求情報３５２を送信するための情報である。すなわち、検索要求情報送信プログラム３１４と検索端末制御部３００は、所在検索要求送信手段の一例である。
【００４９】
検索端末８０は、検索端末通信部３０２によって、サーバ５０から、サーバ側検索対象端末位置情報２５８（図６参照）を受信する。
検索端末制御部３００は、受信したサーバ側検索対象端末位置情報２５８を、検索対象端末位置情報３５４として検索端末第２記憶部３５０に格納する。
そして、検索端末８０は、検索対象端末位置情報３５４を例えば、表示装置９６（図４参照）に表示する等によって出力する。
【００５０】
図１に示すように、端末２０が新宿区Ｒ１に位置し、検索端末８０が松本市Ｒ３に位置する場合には、端末２０と検索端末８０との距離が遠く、例えば、１００キロメートル（ｋｍ）以上であるから、端末２０が測位精度が高い、例えば、測位誤差が１０メートル（ｍ）の位置情報を生成して提供することは、検索端末８０の使用者と端末２０の使用者が待ち合わせる場合等には有用ではない。すなわち、端末２０と検索端末８０との距離が例えば、１００キロメートル（ｋｍ）であって遠い場合には、例えば、１０メートル（ｍ）という測位精度が高い位置情報は不必要である。
これに対して、端末２０が新宿区Ｒ１に位置し、検索端末８０が東京都Ｒ２に位置する場合であって、端末２０と検索端末８０との距離が近く、例えば、１キロメートル（ｋｍ）である場合に、端末２０が測位精度が低い、例えば、測位誤差が１００メートル（ｍ）の位置情報を生成して提供しても、検索端末８０の使用者と端末２０の使用者が待ち合わせる場合等には有用ではない。すなわち、より高い測位精度が必要である。
上述のように、端末２０と検索端末８０との距離によって、必要な測位精度が異なる。
ここで、上述のように、端末２０のＧＰＳ測位手段によって測位精度が高い位置情報を生成するためには、基地局位置取得手段によって測位精度が低い位置情報を生成する場合よりも電力消費量が多い。
したがって、端末２０が、常に測位精度が高い位置情報を生成して提供することは、必要とされない測位精度の位置情報を生成することによって、電力を無駄に消費することになる場合がある。
【００５１】
この点、上述のように、端末２０は、端末２０の位置と検索端末８０の位置との距離が、距離閾値より短いか否かを判断することができる。
そして、端末２０は、基地局位置取得手段とＧＰＳ測位手段から、いずれか一つを選択することができる。
このため、端末２０の位置と検索端末８０の位置との距離が、距離閾値以上である場合には、測位精度が低い基地局位置取得手段を選択し、距離閾値よりも短い場合にのみ、測位精度が高いＧＰＳ測位手段を選択することができる。
これにより、端末２０は、電力消費を低減させつつ、必要十分な測位精度の位置情報を提供することができる。
【００５２】
以上が本実施の形態に係る所在検索システム１０の構成であるが、以下、その動作例を主に図８及び図９を使用して説明する。
図８及び図９は本実施の形態に係る所在検索システム１０の動作例を示す概略フローチャートである。
【００５３】
まず、検索端末８０は、検索要求情報３５２（図７参照）を生成する（ステップＳＴ１）。
続いて、検索端末８０は、サーバ５０に対して、検索要求情報３５２を送信する（ステップＳＴ２）。
【００５４】
続いて、サーバ５０は、検索端末８０から、検索要求情報３５２を受信する（ステップＳＴ３）。
続いて、サーバ５０は、検索対象の端末２０に対して、所在要求情報２５６（図６参照）を送信する（ステップＳＴ４）。
【００５５】
続いて、端末２０は、サーバ５０から、所在要求情報２５６を受信する（ステップＳＴ５）。このステップＳＴ５は、所在情報要求受信ステップの一例である。
続いて、端末２０は、検索端末８０と端末２０の距離が、距離閾値情報１５６(図５参照)に示される距離閾値よりも短いか否かを判断する（図９のステップＳＴ６）。このステップＳＴ６は、詳細位置必要範囲内外判断ステップの一例である。
【００５６】
続いて、端末２０は、検索端末８０と端末２０の距離が、距離閾値よりも短くはないと判断すると、基地局位置取得手段を選択する（ステップＳＴ７）。このステップＳＴ７は、送信用位置情報生成手段選択ステップの一例である。端末２０は、基地局位置情報１５２（図５参照）を複製し、通知用基地局位置情報１５８ａを生成する。
【００５７】
続いて、端末２０は、サーバ５０に対して、通知用基地局位置情報１５８ａを送信する（ステップＳＴ８）。このステップＳＴ８は、被検索側位置情報送信ステップの一例である。
【００５８】
続いて、サーバ５０は、端末２０から通知用基地局位置情報１５８ａを受信し（ステップＳＴ９）、検索端末８０に対してサーバ側検索対象端末位置情報２５８を送信する（ステップＳＴ１０）。
【００５９】
続いて、検索端末８０は、サーバ５０からサーバ側検索対象端末位置情報２５８を受信する（ステップＳＴ１１）。そして、検索端末８０は、サーバ側検索対象端末位置情報２５８を検索端末位置情報３５４（図７参照）として検索端末第２記憶部３５０に格納し、検索端末位置情報３５４を表示装置９６（図４参照）に表示する。
【００６０】
上述の、ステップＳＴ６において、端末２０は、検索端末８０と端末２０の距離が、距離閾値情報１５６に示される距離閾値よりも短いと判断すると、ＧＰＳ測位手段を選択する（ステップＳＴ２１）。このステップＳＴ２１もまた、位置情報生成手段選択ステップの一例である。ステップＳＴ２１において、端末２０は、ＧＰＳ測位位置情報１５８ｂを生成する。
【００６１】
続いて、端末２０は、サーバ５０に対して、ＧＰＳ測位位置情報１５８ｂを送信する（ステップＳＴ２２）。このステップＳＴ２２もまた、被検索側位置情報送信ステップの一例である。
【００６２】
続いて、サーバ５０は、端末２０からＧＰＳ測位位置情報１５８ｂを受信し（ステップＳＴ２３）、検索端末８０に対してサーバ側検索対象端末位置情報２５８を送信する（ステップＳＴ２４）。
【００６３】
続いて、検索端末８０は、サーバ５０からサーバ側検索対象端末位置情報２５８を受信する（ステップＳＴ２５）。
【００６４】
上述のように、所在検索システム１０によれば、端末２０は、電力消費を低減させつつ、必要十分な測位精度の位置情報を提供することができる。
【００６５】
（第２の実施の形態）
次に、第２の実施の形態について、説明する。
第２の実施の形態における所在検索システム１０Ａ（図１参照）の構成は、上記第１の実施の形態の所在検索システム１０と多くの構成が共通するため共通する部分は同一の符号等とし、説明を省略し、以下、相違点を中心に説明する。
【００６６】
図１０は、所在検索システム１０Ａにおける端末２０Ａの主なソフトウエア構成を示す概略図である。
図１０に示すように、端末２０Ａは、端末第１記憶部１１０に、通知用位置情報生成手段選択プログラム１２０Ａを格納している。通知用位置情報生成手段選択プログラム１２０Ａは、端末制御部１００が、端末側所在要求情報１５４に含まれる測位精度情報１５４ｃに基づいて、基地局位置取得手段とＧＰＳ測位手段からいずれか一つを選択するための情報である。すなわち、通知用位置情報生成手段選択プログラム１２０Ａと端末制御部１００は、測位精度基準通知用位置情報生成手段選択手段の一例である。
具体的には、端末制御部１００は通知用位置情報生成手段選択プログラム１２０Ａに基づいて、測位精度情報１５４ｂに示される測位精度に対応する手段を選択する。例えば、測位精度情報１５４ｂが測位誤差５キロメートル（ｋｍ）を示していれば、基地局位置取得手段を選択する。これに対して、測位精度情報１５４ｂが測位誤差１０メートル（ｍ）を示していれば、ＧＰＳ測位手段を選択する。
【００６７】
検索端末８０の使用者が、例えば、待ち合わせのために検索端末８０の位置を端末２０Ａに送信する場合に、検索端末８０の位置の測位誤差が例えば、１００メートル（ｍ）の位置情報を送信するということは、端末２０Ａから同程度の測位精度の位置情報を取得すれば十分であるという意思であると考えられる。
これに対して、検索端末８０の使用者が、例えば、検索端末８０の位置の測位誤差が例えば、１０メートル（ｍ）の位置情報を送信するということは、端末２０Ａから同程度の測位精度の位置情報を取得して、待ち合わせに活用したい意思であると考えられる。
上述のように、端末８０からの位置情報の測位精度によって、端末２０Ａが提供する必要がある位置情報の測位精度が異なる。
そして、ＧＰＳ測位手段によって測位精度が高いＧＰＳ測位位置情報１５８ｂを生成するためには、基地局位置取得手段によって測位精度が低い通知用基地局位置情報１５８ａを生成する場合よりも電力消費量が多い。
したがって、端末２０Ａが、常に測位精度が高いＧＰＳ測位位置情報１５８ｂを生成して提供することは、必要性とされない測位精度の位置情報を生成することによって電力を無駄に消費することになる。
【００６８】
この点、端末２０Ａは、端末側所在要求情報１５４に示される検索端末８０の位置の測位精度に基づいて、基地局位置取得手段とＧＰＳ測位手段からいずれか一つを選択することができる。
これにより、端末２０Ａは、電力消費を低減させつつ、必要十分な測位精度の位置情報を提供することができる。
【００６９】
（プログラム及びコンピュータ読み取り可能な記録媒体等について）
コンピュータに上述の動作例の所在情報要求受信ステップと、詳細位置必要範囲内外判断ステップと、送信用位置情報生成手段選択ステップと、被検索側位置情報送信ステップ等を実行させるための被検索端末装置の制御プログラムとすることができる。
また、このような被検索端末装置の制御プログラム等を記録したコンピュータ読み取り可能な記録媒体等とすることもできる。
【００７０】
これら被検索端末装置の制御プログラム等をコンピュータにインストールし、コンピュータによって実行可能な状態とするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔｅｒｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００７１】
本発明は、上述の各実施の形態に限定されない。さらに、上述の各実施の形態は、相互に組み合わせて構成するようにしてもよい。
【図面の簡単な説明】
【００７２】
【図１】所在検索システムを示す概略図である。
【図２】端末の主なハードウエア構成を示す概略図である。
【図３】サーバの主なハードウエア構成を示す概略図である。
【図４】検索端末の主なハードウエア構成を示す概略図である。
【図５】端末の主なソフトウエア構成を示す概略図である。
【図６】サーバの主なソフトウエア構成を示す概略図である。
【図７】検索端末の主なソフトウエア構成を示す概略図である。
【図８】所在検索システムの動作例を示す概略フローチャートである。
【図９】所在検索システムの動作例を示す概略フローチャートである。
【図１０】端末の主なソフトウエア構成を示す概略図である。
【符号の説明】
【００７３】
１０，１０Ａ・・・所在検索システム、１２ａ，１２ｂ，１２ｃ，１２ｄ・・・ＧＰＳ衛星、２０，２０Ａ・・・端末、５０・・・サーバ、８０・・・検索端末、１１２・・・基地局位置情報生成プログラム、１１４・・・基地局位置情報取得プログラム、１１６・・・ＧＰＳ測位位置情報生成プログラム、１１８・・・相対位置判断判断プログラム、１２０，１２０Ａ・・・通知用位置情報生成手段選択プログラム、１２２・・・通知用位置情送信プログラム
【図１】
2006170656.tif 000003
【図２】
2006170656.tif 000004
【図３】
2006170656.tif 000005
【図４】
2006170656.tif 000006
【図５】
2006170656.tif 000007
【図６】
2006170656.tif 000008
【図７】
2006170656.tif 000009
【図８】
2006170656.tif 000010
【図９】
2006170656.tif 000011
【図１０】
2006170656.tif 000012